(57)【要約】【課題】プラグ部１に集中して作用する捩れストレスによって、耐電圧試験装置に用いる試験用ケーブルの心線が断線する問題を解消する。【解決手段】突起状の構造をプラグ部１の絶縁外装周縁に具えた試験用ケーブル２の接続器具であって、該突起形状と同一形状の中空部を回転体３に設け、絶縁カバー４の正面に該中空部を露出させる開口部を設けた上、回転体３を該カバーの内側に配置し、且つ該回転体を絶縁カバー４と絶縁ホルダー５にて支持させる。これにより、回転体３を自在に回頭させ、試験用ケーブルに生じていた捩れ現象を解消すると共に、プラグ部１の突起状構造と回転体３の中空部とが嵌合した状態のまま試験用ケーブルに電気を供給する。【選択図】            図１
2004327411.tif 000002
【特許請求の範囲】
【請求項１】
絶縁外装周縁に突起構造を具えたプラグ部（１）を有するケーブル（２）の接続器具構造であって、
前記突起構造と同一形状の中空部を具える回転体（３）を設け、
正面に開口部を具える絶縁カバー（４）内に回転体（３）を配置し、
絶縁カバー（４）と絶縁ホルダー（５）によって回転体（３）を支持することを特徴とする接続器具構造。
【発明の詳細な説明】
【０００１】
【発明の属する技術分野】
ケーブルの接続構造に関し、特にケーブルの捩れを解消する接続構造に関する。
【０００２】
【従来の技術】
従来、ケーブルの捩れに関する技術としては次の特許文献１に示す技術が知られているが、該文献１は、後述する如く、本発明と解決しようとする課題及び課題を解決する手段が異なる。
【０００３】
【特許文献１】
実開昭６１−１９４９６３号公報
【０００４】
耐電圧試験では、供試物に所定の高電圧を加え、流れる電流値を測定して供試物の絶縁抵抗値を計測し、或は流れる電流値から該供試物の絶縁耐圧等を試験する。
ここで、図５の（Ａ）は従来技術の接続器具の斜視図であり、図６は該接続器具に試験用ケーブルを装着した状態を示す断面図であり、図７は該接続器具から試験用ケーブルを脱着した状態を示す断面図である。
図７に示す如く従来技術の接続器具は、絶縁カバー４で出力端子６を覆い、該カバーに接触しても感電のおそれがないようにした上、図５の（Ｂ）に示す凹形状の中空部（以下「凹形中空部」という。）を該カバーの正面に設けて試験用ケーブルを接続器具から脱着した際でも取扱者が出力端子６に触れるおそれがないようにしている。そのため、図４の（Ａ）及び図５の（Ａ）に示すように、従来この凹形状と同一形状の突起形構造物（以下「凸形構造」という。）を絶縁外装周縁にもつプラグ部１を具えた高圧ケーブルが試験用ケーブル（以下「ケーブル２」という。）として用いられており、図６に示す如く、該凸形構造と凹形中空部とが嵌合した状態のまま絶縁カバー４を通してプラグ部１の金属先端部を出力端子６に接続し、電気を供給している。この場合、絶縁カバー４はパネル７を介して絶縁ホルダー５によって挟着されるため、該カバーはパネル７に固定され、ケーブル２をこの接続器具に装着した時にはプラグ部１もパネル７に固定される。このように、絶縁ホルダー５は出力端子６の絶縁保護の他、該カバーをパネル７に固定する役割も果す。
【０００５】
なお、前記凹形中空部の形状は、取扱者が容易に出力端子６に触れるおそれがなければ、図５の（Ｂ）に示す十字形に限定しなくても良い。
【０００６】
【発明が解決しようとする課題】
ケーブル２を接続器具に装着した状態で外力を受けるなどして、ケーブル２の円周に大きな回転力が与えられると、ケーブル２は回転力方向に回転できず、その結果ケーブル２に捩れ現象が生じる。そして、この捩れストレスは図５の（Ａ）に示すＰ点に集中し、かかるストレスを繰返し受ける事によって、Ｐ点部分のケーブル心線が断線状態となり、正確な試験結果が得られないという事態を招きかねない。
【０００７】
本発明は、前記課題を解決するためになされたものであって、その目的はプラグ部１が自在に回頭し得る接続器具構造を提供し、ケーブル２に生ずる捩れストレスを解消することにある。
【０００８】
【課題を解決するための手段】
前記課題を解決するため、請求項１に記載の発明は、絶縁外装周縁に凸形構造を具えたプラグ部１を有するケーブル２を用いる接続器具であって、
前記凸形構造と同一形状の中空部を具える回転体３を設け、絶縁カバー４の正面には該中空部を露出させる開口部を具えた上、回転体３を該カバーの内側に配置し、該回転体を絶縁カバー４と絶縁ホルダー５によって支持させることによって回転体３を自在に回頭させることを特徴とする。
【０００９】
【発明の実施の形態】
図１は本発明の一実施例である接続器具の斜視図であり、図２は同接続器具にケーブル２を装着した状態を示す断面図であり、図３は同接続器具を分解した状態を示す斜視図である。また図４の（Ｂ）は回転体３の正面を図示している。この図２及び図３及び図４の（Ｂ）に示す如く、本発明では回転体３に前記凹形中空部を設け、絶縁カバー４の正面に該中空部を露出させる開口部を設けて該中空部とプラグ部１の凸形構造とが直接嵌合し得るようにし、且つ嵌合した状態のままプラグ部１が回転体３を貫通してプラグ部１の金属先端部を出力端子６に接続し、電気を供給する。この時、回転体３は絶縁カバー４内に配置した上、絶縁カバー４と絶縁ホルダー５とによって支持する。なお、図２に示すとおり、絶縁カバー４及び絶縁ホルダー５は従来技術と同様の挟着構造を有している。
【００１１】
本発明の場合、回転体３に生じる慣性モーメント（ｍｒ２〔ｋｇ・ｍ２〕）は無視して良い。従って、回転体３を自在且つ円滑に回頭させるためには、例えば回転体３の表面を滑らかに仕上げ、且つ又回転体３と、絶縁ホルダー５や絶縁カバー４との間に微小な空隙を設けるなどして前記支持点に生じる摩擦抵抗或は接触抵抗を極力小さくすれば良い。
【００１２】
なお、回転体３に具える凹形中空部の形状条件は、
【０００５】段に記載した条件と同一である。また、回転体３は絶縁保護の役目も果す必要があるため、絶縁カバー４と同等以上の絶縁効力を有するものが好適である。
【００１３】
【発明の効果】
本発明によれば、外力を受けるなどしてケーブル２に回転力が加わっても、回転体３が回転力方向と同一方向に回転するため、ケーブル２に生じる捩れ現象を解消できる。
【図面の簡単な説明】
【図１】本発明の一実施例の斜視図である。
【図２】本発明の一実施例にケーブル２を装着した状態を示す断面図である。
【図３】本発明の一実施例の分解図である。
【図４】（Ａ）プラグ部１の正面図である。
【図４】（Ｂ）回転体３の正面図である。
【図５】（Ａ）従来技術の斜視図である。
【図５】（Ｂ）従来技術の絶縁カバー４の正面図である。
【図６】従来技術の接続器具にケーブル２を装着した状態を示す断面図である。
【図７】従来技術の接続器具からケーブル２を脱着した状態を示す断面図である。
【符号の説明】
１  プラグ部
２  ケーブル
３  回転体
４  絶縁カバー
５  絶縁ホルダー
６  出力端子
７  パネル
【図１】
2004327411.tif 000003
【図２】
2004327411.tif 000004
【図３】
2004327411.tif 000005
【図４】
2004327411.tif 000006
【図５】
2004327411.tif 000007
【図６】
2004327411.tif 000008
【図７】
2004327411.tif 000009